(57)【要約】【課題】必要な充電容量だけバッテリを充電することにより、充電器の電池の消耗を抑制するので経済的であるとともに環境コストを低減することができ、使用中の電池切れによる動作停止状態を防ぐこと。【解決手段】充電部１０３は、外部充電器１５０によりバッテリ１０４を充電可能である。充電制御部１０７は、バッテリ１０４への充電電圧が時間の経過に伴って低下する場合、充電開始後においてバッテリ１０４の残量が必要な残量に達していると判断した場合に充電を停止するように制御する。【選択図】図１
2014003793.tif 000002
【特許請求の範囲】
【請求項１】
バッテリと、
外部充電器により前記バッテリを充電可能な充電手段と、
前記バッテリへの充電電圧が時間の経過に伴って低下する場合、充電開始後において前記バッテリの残量が必要な残量に達していると判断した場合に充電を停止するように制御する制御手段と、
を具備する携帯電子機器。
【請求項２】
請求項１に記載の携帯電子機器であって、
生活習慣に基づく前記バッテリの残量の時間的推移を記憶する記憶手段をさらに具備し、
前記制御手段は、記憶されている前記バッテリの残量の時間的推移をもとに、充電開始後において前記バッテリの残量が現在の時刻における必要な残量に達していると判断した場合に充電を停止するように制御する、
携帯電子機器。
【請求項３】
請求項１または請求項２に記載の携帯電子機器であって、
前記バッテリの残量が現在の時刻における必要残量に達していても充電の停止をしないように動作させる要求を受け付ける表示操作手段をさらに具備し、
前記制御手段は、前記制御の際に前記要求をもとに充電を行う、
携帯電子機器。
【請求項４】
請求項１または請求項２に記載の携帯電子機器であって、
前記バッテリの残量が現在の時刻における必要残量に達している場合に充電の停止をするか否かの要求を受け付ける表示操作手段をさらに具備し、
前記制御手段は、前記バッテリへの充電電圧が時間の経過に伴って低下するか否かに関わらず、前記制御の際に前記要求をもとに充電を行う、
携帯電子機器。
【請求項５】
請求項１または請求項２に記載の携帯電子機器であって、
前記制御手段は、前記外部充電器からの識別信号を受信した際に、前記バッテリへの充電電圧が時間の経過に伴って低下するか否かに関わらず、前記バッテリの残量が現在の時刻における必要残量に達していても充電の停止をしないように充電を行う、
携帯電子機器。
【請求項６】
請求項１に記載の携帯電子機器であって、
前記制御手段は、前記バッテリの残量が上限閾値に到達した際に充電を停止するように制御し、充電停止後に前記バッテリの残量が下限閾値を下回った際に充電を開始させる、
携帯電子機器。
【請求項７】
請求項１に記載の携帯電子機器であって、
前記制御手段は、前記バッテリを所定時間だけ充電した際に充電を停止するように制御する、
携帯電子機器。
【請求項８】
請求項１に記載の携帯電子機器であって、
前記制御手段は、前記バッテリに蓄積された電力のうち使用された電力の分だけ前記バッテリを充電した際に充電を停止するように制御する、
携帯電子機器。
【請求項９】
請求項１に記載の携帯電子機器であって、
前記制御手段は、前記バッテリの容量不足を警告する状態または前記バッテリの容量不足による動作停止状態を回避可能な容量だけ前記バッテリを充電した際に充電を停止するように制御する、
携帯電子機器。
【請求項１０】
請求項１から請求項９のいずれか１項に記載の携帯電子機器であって、
前記制御手段は、前記制御の際に充電電流を所定量低減させる、
携帯電子機器。
【請求項１１】
請求項１から請求項９のいずれか１項に記載の携帯電子機器であって、
前記制御手段は、前記制御の際に間欠的に充電させる、
携帯電子機器。
【請求項１２】
バッテリを電源として動作する携帯電子機器における充電制御方法であって、
外部充電器により前記バッテリを充電可能な充電ステップと、
前記バッテリのへ充電電圧が時間の経過に伴って低下する場合、充電開始後において前記バッテリの残量が必要な残量に達していると判断した場合に充電を停止するように制御する制御ステップと、
を具備する充電制御方法。
【発明の詳細な説明】
【技術分野】
【０００１】
本発明は、外部充電器により充電されるバッテリを有する携帯電子機器及び充電制御方法に関する。
【背景技術】
【０００２】
一般に、携帯電話等の携帯電子機器は、二次電池であるバッテリを内蔵している。携帯電子機器に内蔵されているバッテリは、携帯電子機器に接続された外部充電器により充電される。外部充電器としては、室内等において商用電源に接続した状態で携帯電子機器を充電する充電台、及び外出先等において電池により携帯電子機器を充電する特許文献１に開示されているポータブル充電器が用いられている。ポータブル充電器に搭載される電池は、一次電池であることが多い。
【先行技術文献】
【特許文献】
【０００３】
【特許文献１】特表２００８−５３３９６１号公報
【発明の概要】
【発明が解決しようとする課題】
【０００４】
しかしながら、従来の携帯電子機器においては、ポータブル充電器を用いてバッテリを充電する場合には、外出先等で必要な充電容量に関わりなく充電する。従って、従来の携帯電子機器においては、充電の途中で強制的に充電を終了させない限り、常に満充電される。この結果、ポータブル充電器の電池の減りが早くなり、電池の交換頻度が高くなることにより、不経済で環境コストが増大するという問題がある。また、従来の携帯電子機器においては、電池の消耗を抑えるために、ユーザの感覚的な判断に基づいて、充電の途中で強制的に充電を終了させる場合には、充分な充電容量を得ることができず、使用中に電池切れになる可能性があるという問題がある。
【０００５】
本発明の目的は、必要な充電容量だけバッテリを充電することにより、充電器の電池の消耗を抑制するので経済的であるとともに環境コストを低減することができ、使用中の電池切れによる動作停止状態を防ぐことができる携帯電子機器及び充電制御方法を提供することである。
【課題を解決するための手段】
【０００６】
本発明に係る携帯電子機器は、バッテリと、外部充電器により前記バッテリを充電可能な充電手段と、前記バッテリへの充電電圧が時間の経過に伴って低下する場合、充電開始後において前記バッテリの残量が必要な残量に達していると判断した場合に充電を停止するように制御する制御手段と、を具備する。
【０００７】
本発明に係る充電制御方法は、バッテリを電源として動作する携帯電子機器における充電制御方法であって、外部充電器により前記バッテリを充電可能な充電ステップと、前記バッテリのへ充電電圧が時間の経過に伴って低下する場合、充電開始後において前記バッテリの残量が必要な残量に達していると判断した場合に充電を停止するように制御する制御ステップと、を含む。
【発明の効果】
【０００８】
本発明によれば、必要な充電容量だけバッテリを充電することにより、充電器の電池の消耗を抑制するので経済的であるとともに環境コストを低減することができ、使用中の電池切れによる動作停止状態を防ぐことができる。
【図面の簡単な説明】
【０００９】
【図１】本発明の実施の形態１に係る携帯電子機器の構成を示すブロック図
【図２】本発明の実施の形態１における外部充電器の種別判定方法を示すフロー図
【図３】本発明の実施の形態２に係る携帯電子機器の構成を示すブロック図
【図４】本発明の実施の形態２における標準データを作成する際のテーブルの一例を示す図
【図５】本発明の実施の形態２における標準データの時間推移を示す図
【図６】本発明の実施の形態２における標準データ及び現実データの時間推移を示す図
【発明を実施するための形態】
【００１０】
以下、本発明の実施の形態について、図面を参照して詳細に説明する。
【００１１】
（実施の形態１）
本発明の実施の形態１に係る携帯電子機器１００の構成について、図１を用いて説明する。なお、図１では、携帯電子機器１００とともに外部充電器１５０も記載する。
【００１２】
＜携帯電子機器の構成＞
携帯電子機器１００は、接続部１０１と、種別判定部１０２と、充電部１０３と、バッテリ１０４と、残量測定部１０５と、表示操作部１０６と、充電制御部１０７とから主に構成されている。
【００１３】
接続部１０１は、外部充電器１５０が接続され、外部充電器１５０から供給された充電電力を充電部１０３に出力する。接続部１０１は、外部充電器１５０の種別を判定するための接続情報と充電電圧とを種別判定部１０２に出力する。ここで、接続部１０１から種別判定部１０２に出力される充電電圧とは、接続部１０１から充電部１０３に出力される充電電力の電圧である。
【００１４】
種別判定部１０２は、接続部１０１から入力された接続情報または充電電圧に基づいて、外部充電器１５０の種別を判定する。種別判定部１０２は、判定結果を種別情報として充電制御部１０７に出力する。なお、外部充電器１５０の種別を判定する方法については、後述する。
【００１５】
充電部１０３は、充電制御部１０７から入力された充電可否情報に基づいて、接続部１０１から入力された充電電力をバッテリ１０４に出力する。
【００１６】
バッテリ１０４は、充電部１０３から入力された充電電力を蓄積する。携帯電子機器１００は、バッテリ１０４に蓄積されている電力により動作する。バッテリ１０４は、蓄積している電力に応じた電圧を残量測定部１０５に出力する。ここで、バッテリ１０４の残量が低下するにつれて、バッテリ１０４の電圧も低下する。
【００１７】
残量測定部１０５は、バッテリ１０４から入力された電圧に基づいて、バッテリ１０４に蓄積されている電力の残量を測定する。残量測定部１０５は、残量の測定結果を残量情報として充電制御部１０７に出力する。
【００１８】
表示操作部１０６は、充電における要求をユーザより受け付けて、受け付けた要求に応じた要求信号を充電制御部１０７に出力する。なお、表示操作部１０６が受け付ける要求については、後述する。
【００１９】
充電制御部１０７は、外部充電器１５０が接続された際に、充電制御を行う。この際、充電制御部１０７は、種別判定部１０２から入力された種別情報に基づいて、接続された外部充電器１５０がポータブル充電器であるか否かを判断する。充電制御部１０７は、接続された外部充電器１５０がポータブル充電器であると判断した場合に、残量測定部１０５から入力された残量情報に基づいて充電制御を行う。具体的には、充電制御部１０７は、充電を開始させた後、バッテリ１０４の残量が必要な残量に達していると判断した場合に、充電を停止させる。ここで、必要な残量とは、携帯電子機器１００を使用する際に最低限必要な充電容量を意味する。
【００２０】
充電制御部１０７は、表示操作部１０６から要求信号が入力された際には、入力された要求信号における要求に従って充電制御を行う。
【００２１】
充電制御部１０７は、上記充電制御において、充電を開始させる場合には充電可の充電可否情報を充電部１０３に出力し、充電を停止させる場合には充電否の充電可否情報を充電部１０３に出力する。なお、充電制御部１０７における具体的な充電制御方法については、後述する。
【００２２】
＜外部充電器の種別の判定方法＞
本発明の実施の形態１における外部充電器１５０の種別判定方法について、図２を用いて説明する。図２では、接続部１０１から種別判定部１０２に出力される接続情報として、携帯電子機器１００が備える図示しない充電端子の識別情報を用いている。
【００２３】
種別判定部１０２は、接続部１０１から入力された電圧を検出することにより、外部充電器１５０の種別の判定処理を開始する（ステップＳＴ２０１）。
【００２４】
まず、種別判定部１０２は、接続部１０１から入力された接続情報を参照して、ポータブル充電器以外の充電器（以下、「非ポータブル充電器」と記載する）用の充電端子に外部充電器１５０が接続されているか否かを判定する（ステップＳＴ２０２）。ここで、非ポータブル充電器とは、例えば家庭用コンセント等の商用電源に接続した状態で携帯電子機器１００を充電する充電台等の外部充電器である。
【００２５】
種別判定部１０２は、非ポータブル充電器用の充電端子に外部充電器１５０が接続されていると判定した場合（ステップＳＴ２０２：ＹＥＳ）には、ポータブル充電器ではないものと判定する（ステップＳＴ２０３）。携帯電子機器１００は、非ポータブル充電器に接続する充電端子と、ポータブル充電器に接続する充電端子とを各々備えることにより、上記の判定を行うことができる。
【００２６】
一方、種別判定部１０２は、非ポータブル充電器用の充電端子に外部充電器１５０が接続されていないと判定した場合（ステップＳＴ２０２：ＮＯ）には、接続部１０１から入力された充電電圧を測定する（ステップＳＴ２０４）。
【００２７】
次に、種別判定部１０２は、一定時間待機する（ステップＳＴ２０５）。
【００２８】
次に、種別判定部１０２は、接続部１０１から入力された充電電圧を測定する（ステップＳＴ２０６）。
【００２９】
次に、種別判定部１０２は、ステップＳＴ２０４において測定した充電電圧に比べて、ステップＳＴ２０６において測定した充電電圧が低下しているか否かを判定する（ステップＳＴ２０７）。
【００３０】
種別判定部１０２は、充電電圧が低下していないと判定した場合（ステップＳＴ２０７：ＮＯ）には、ポータブル充電器ではないものと判定する（ステップＳＴ２０３）。
【００３１】
一方、種別判定部１０２は、充電電圧が低下していると判定した場合（ステップＳＴ２０７：ＹＥＳ）には、ポータブル充電器であると判定する（ステップＳＴ２０８）。
【００３２】
＜実施の形態１における充電制御方法１＞
本発明の実施の形態１に係る充電制御方法１について説明する。
【００３３】
充電制御部１０７は、接続部１０１からの充電電圧が時間の経過に伴って低下する場合において、ポータブル充電器により充電を開始した後、残量情報に基づいて、バッテリ１０４の残量が上限閾値に達したか否かを監視する。充電制御部１０７は、残量測定部１０５から入力された残量情報の示す残量が上限閾値に到達した場合に、充電否の充電可否情報を充電部１０３に出力することにより充電を停止させる制御を行う。
【００３４】
そして、充電制御部１０７は、充電停止後に、残量情報に基づいて、バッテリ１０４の残量が下限閾値を下回ったか否かを監視する。充電制御部１０７は、残量測定部１０５から入力された残量情報の示す残量が下限閾値を下回った場合に、充電可の充電可否情報を充電部１０３に出力することにより充電を開始させる制御を行う。
【００３５】
上記の上限閾値及び下限閾値は、予め設定した不変の値でもよいし、可変設定してもよい。例えば、上限閾値は、バッテリ１０４の残量３０％、または１０分間通話可能なバッテリ１０４の残量に設定することができる。
【００３６】
＜実施の形態１における充電制御方法２＞
本発明の実施の形態１に係る充電制御方法２について説明する。
【００３７】
充電制御部１０７は、接続部１０１からの充電電圧が時間の経過に伴って低下する場合において、ポータブル充電器により充電する際に、所定時間だけバッテリ１０４を充電するように制御する。即ち、充電制御部１０７は、充電可の充電可否情報を充電部１０３に出力して充電を開始させてから所定時間経過後に、充電否の充電可否情報を充電部１０３に出力することにより充電を停止させる制御を行う。
【００３８】
例えば、所定時間は、残量を１０％にすることができる時間、または３分間通話可能な残量にすることができる時間である。
【００３９】
＜実施の形態１における充電制御方法３＞
本発明の実施の形態１に係る充電制御方法３について説明する。
【００４０】
充電制御部１０７は、ポータブル充電器により充電する際に、接続部１０１からの充電電圧が時間の経過に伴って低下する場合、充電可の充電可否情報を充電部１０３に出力することにより充電を開始させる制御を行う。そして、充電制御部１０７は、残量情報に基づいて、バッテリ１０４に蓄積された電力のうち使用された電力の分だけバッテリ１０４を充電した際に、充電否の充電可否情報を充電部１０３に出力することにより充電を停止させる制御を行う。
【００４１】
＜実施の形態１における充電制御方法４＞
本発明の実施の形態１に係る充電制御方法４について説明する。
【００４２】
充電制御部１０７は、接続部１０１からの充電電圧が時間の経過に伴って低下する場合、バッテリ１０４の容量不足を警告する状態またはバッテリ１０４の容量不足による動作停止状態になった際に、残量情報に基づいて、充電可の充電可否情報を充電部１０３に出力することにより充電を開始させる制御を行う。そして、充電制御部１０７は、ポータブル充電器により充電する際には、残量情報に基づいて、バッテリ１０４の容量不足を警告する状態またはバッテリ１０４の容量不足による動作停止状態を回避可能な容量だけバッテリ１０４を充電させる。充電制御部１０７は、バッテリ１０４の容量不足を警告する状態またはバッテリ１０４の容量不足による動作停止状態を回避可能な容量だけバッテリ１０４を充電させた後に、充電否の充電可否情報を充電部１０３に出力することにより充電を停止させる制御を行う。
【００４３】
＜実施の形態１における充電制御方法５＞
本発明の実施の形態１に係る充電制御方法５について説明する。
【００４４】
充電制御部１０７は、ポータブル充電器により充電する際に、上記の充電制御方法１〜４の何れか１つに記載した充電制御に加えて、バッテリ１０４の残量が必要な残量に達していても充電の停止をしないように動作させる要求に従って充電制御を行う。
【００４５】
即ち、表示操作部１０６は、バッテリ１０４の残量が必要な残量に達していても充電の停止をしないように動作させる要求信号を充電制御部１０７に出力する。
【００４６】
充電制御部１０７は、バッテリ１０４の残量が必要な残量に達している場合であっても、表示操作部１０６から要求信号が入力された場合には、要求信号における要求に従って、充電否の充電可否情報を充電部１０３に出力しない。これにより、充電部１０３は、バッテリ１０４の充電を継続する。
【００４７】
＜実施の形態１における充電制御方法６＞
本発明の実施の形態１に係る充電制御方法６について説明する。
【００４８】
充電制御部１０７は、ポータブル充電器により充電する際に、上記の充電制御方法１〜４の何れか１つに記載した充電制御に加えて、バッテリ１０４の残量が必要な残量に達している場合に、充電を停止する要求または充電を停止しない要求に従って充電制御を行う。
【００４９】
即ち、表示操作部１０６は、充電を停止する要求信号または充電を停止しない要求信号を充電制御部１０７に出力する。
【００５０】
充電制御部１０７は、バッテリ１０４の残量が必要な残量に達している場合において、充電を停止する要求信号が表示操作部１０６から入力された場合には、充電否の充電可否情報を充電部１０３に出力することにより充電を停止させる。
【００５１】
充電制御部１０７は、バッテリ１０４の残量が必要な残量に達している場合において、充電を停止しない要求信号が表示操作部１０６から入力された場合には、充電否の充電可否情報を充電部１０３に出力しない。これにより、充電部１０３は、バッテリ１０４の充電を継続する。
【００５２】
＜実施の形態１における充電制御方法７＞
本発明の実施の形態１に係る充電制御方法７について説明する。
【００５３】
充電制御部１０７は、ポータブル充電器により充電する際に、上記の充電制御方法１〜４の何れか１つに記載した充電制御に加えて、外部充電器１５０からの識別信号を受信した際に、接続部１０１からの充電電圧が時間の経過に伴って低下するか否かに関わらず、バッテリ１０４の残量が必要な残量に達していても充電の停止をしないように制御する。
【００５４】
即ち、接続部１０１は、外部充電器１５０から識別信号を受信した際に、識別信号を受信した旨の通知を含む接続情報を種別判定部１０２に出力する。
【００５５】
種別判定部１０２は、識別信号を受信した旨の通知を接続部１０１から受けた際に、識別信号を受信した旨を充電制御部１０７に通知する。
【００５６】
充電制御部１０７は、識別信号を受信した旨の通知が種別判定部１０２から入力された際に、接続部１０１からの充電電圧が時間の経過に伴って低下するか否かに関わらず、バッテリ１０４の残量が必要な残量に達している場合であっても、充電否の充電可否情報を充電部１０３に出力しない。これにより、充電部１０３は、バッテリ１０４の充電を継続する。
【００５７】
＜実施の形態１における充電制御方法８＞
本発明の実施の形態１に係る充電制御方法８について説明する。
【００５８】
充電制御部１０７は、上記充電制御方法１〜７の何れか１つに記載した方法と組み合わせて、以下の方法を用いることができる。
【００５９】
即ち、充電制御部１０７は、ポータブル充電器により充電する際に、充電電流を所定量低減させるように充電部１０３を制御する。
【００６０】
＜実施の形態１における充電制御方法９＞
本発明の実施の形態１に係る充電制御方法９について説明する。
【００６１】
充電制御部１０７は、上記充電制御方法１〜７の何れか１つに記載した方法と組み合わせて、以下の方法を用いることができる。
【００６２】
即ち、充電制御部１０７は、ポータブル充電器により充電する際に、間欠的に充電を行うように充電部１０３を制御する。
【００６３】
＜実施の形態１における共通動作＞
なお、充電制御部１０７は、過充電防止のため、バッテリ１０４の残量が１００％に達していた場合は、充電制御方法１〜９の何れの方法で充電する場合であっても、充電を停止させるよう充電部１０３を制御する。
【００６４】
＜実施の形態１の効果＞
本実施の形態によれば、必要な容量だけバッテリを充電することにより、充電器の電池の消耗を抑制するので経済的であるとともに環境コストを低減することができ、使用中の電池切れによる動作停止状態を防ぐことができる。
【００６５】
また、本実施の形態によれば、充電電流を所定量低減させることにより、ポータブル充電器により充電する際の充電効率の低下を抑制することができる。
【００６６】
また、本実施の形態によれば、間欠的に充電することにより、ポータブル充電器に搭載されている電池の安定を待って充電することができるので、電池の充電効率を改善することができる。
【００６７】
（実施の形態２）
＜携帯電子機器の構成＞
図３は、本発明の実施の形態２に係る携帯電子機器３００の構成を示すブロック図である。
【００６８】
図３に示す携帯電子機器３００は、図１に示す実施の形態１に係る携帯電子機器１００と比較して、時計部３０３と、標準データ生成部３０４と、標準データ保持部３０５とを追加し、残量測定部１０５の代わりに残量測定部３０１を有し、表示操作部１０６の代わりに表示操作部３０２を有し、充電制御部１０７の代わりに充電制御部３０６を有する。なお、図３において、図１と同一構成である部分には同一の符号を付してその説明を省略する。
【００６９】
携帯電子機器３００は、接続部１０１と、種別判定部１０２と、充電部１０３と、バッテリ１０４と、残量測定部３０１と、表示操作部３０２と、時計部３０３と、標準データ生成部３０４と、標準データ保持部３０５、充電制御部３０６とから主に構成されている。
【００７０】
種別判定部１０２は、接続部１０１から入力された接続情報または充電電圧に基づいて、外部充電器１５０の種別を判定する。種別判定部１０２は、判定結果を種別情報として充電制御部３０６に出力する。なお、本実施の形態において、外部充電器１５０の種別を判定する方法は図２と同一であるので、その説明を省略する。
【００７１】
充電部１０３は、充電制御部３０６から入力された充電可否情報に基づいて、接続部１０１から入力された充電電力をバッテリ１０４に出力する。
【００７２】
バッテリ１０４は、充電部１０３から入力された充電電力を蓄積する。バッテリ１０４は、蓄積している電力に応じた電圧を残量測定部３０１に出力する。携帯電子機器３００は、バッテリ１０４に蓄積されている電力により動作する。
【００７３】
残量測定部３０１は、バッテリ１０４から入力された電圧に基づいて、バッテリ１０４に蓄積されている電力の残量を測定する。残量測定部３０１は、残量の測定結果を残量情報として標準データ生成部３０４及び充電制御部３０６に出力する。
【００７４】
表示操作部３０２は、後述する標準データを生成する際の条件をユーザより受け付けて、受け付けた条件を条件設定操作情報として標準データ生成部３０４に出力する。表示操作部３０２は、充電における要求をユーザより受け付けて、受け付けた要求に応じた要求信号を充電制御部３０６に出力する。なお、表示操作部３０２が受け付ける要求については、後述する。
【００７５】
時計部３０３は、日付及び時刻を計時し、計時した日付及び時刻を日付時刻情報として標準データ生成部３０４及び充電制御部３０６に出力する。
【００７６】
標準データ生成部３０４は、時計部３０３から入力された日付時刻情報と、残量測定部３０１から入力された残量情報とを対応付けたデータを、標準データ保持部３０５に蓄積させる。標準データ生成部３０４は、表示操作部３０２から入力された条件設定操作情報により指示された条件に従って、標準データ保持部３０５に蓄積されたデータのうち指示された条件のデータを、標準データとして充電制御部３０６に出力させる。この標準データは、携帯電子機器３００のユーザの生活習慣に応じた、バッテリ１０４の残量の時間的推移を示すものである。例えば、標準データ生成部３０４は、標準データ保持部３０５に蓄積された１年、または１週間のデータを、標準データとして充電制御部３０６に出力させることができる。また、標準データ生成部３０４は、標準データ保持部３０５に蓄積された同じ曜日のデータを、標準データとして充電制御部３０６に出力させることもできる。
【００７７】
例えば、標準データ生成部３０４は、（１）式により標準データ保持部３０５から標準データを出力させる。
Cstd(D,T)=average(c(D1,T),c(D2,T),・・・,c(Dn,T))          （１）
ただし、Cstd(D,T)は、バッテリ１０４の残量
Tは、時刻
Dは、日付
nは、０以上の任意の整数
averageは、括弧内の引数の平均値
【００７８】
なお、標準データについては、後述する。
【００７９】
標準データ保持部３０５は、標準データ生成部３０４から入力されたデータを保持する。標準データ保持部３０５は、標準データ生成部３０４の指示により、保持しているデータを標準データとして充電制御部３０６に出力する。なお、標準データ保持部３０５は、進学または就職等でユーザの生活習慣が変わった場合は蓄積されたデータを破棄し、再度データを蓄積しなおすことが好ましい。
【００８０】
充電制御部３０６は、接続された外部充電器１５０がポータブル充電器であると判断した場合に、残量測定部３０１から入力された残量情報と、標準データ保持部３０５から入力された標準データと、時計部３０３から入力された日付時刻情報とに基づいて充電制御を行う。具体的には、充電制御部３０６は、充電を開始させた後、バッテリ１０４の残量が現在の時刻における必要な残量に達していると判断した場合に、充電を停止させる。
【００８１】
なお、充電制御部３０６における上記以外の構成は充電制御部１０７と同一であるので、その説明を省略する。また、充電制御部３０６における具体的な充電制御方法については、後述する。
【００８２】
＜標準データの一例＞
本発明の実施の形態における標準データの一例について、図４及び図５を用いて説明する。なお、図４及び図５において、残量は、満充電の場合を１００％とし、満充電に対して減った割合を示すものである。
【００８３】
図４より、標準データ生成部３０４は、時計部３０３から入力された日付時刻情報の日付（ｄ）及び時刻（ｔ）毎に、残量測定部３０１から入力された残量情報の残量ｃ（ｄ，ｔ）を対応付けたテーブルを作成する。
【００８４】
そして、図５の標準データ＃４０１は、図４のテーブルを用いて作成される。
【００８５】
図５より、標準データ＃４０１において、外部充電器１５０として非ポータブル充電器を用いて、夜中にバッテリ１０４を充電することにより、残量は１００％になる。
【００８６】
６時からの出勤時、１２時前後の昼休み、及び１８時の帰宅時以降では、携帯電子機器３００を使用することにより、残量は急激に減少している。
【００８７】
上記以外の時間帯では、携帯電子機器３００の使用はしないものの、待ち受け等に伴って、残量は徐々に減少している。
【００８８】
バッテリ１０４は、携帯電子機器３００の帰宅後の使用が終了した後に、外部充電器１５０として非ポータブル充電器を用いて充電されることにより、残量は１００％に近づいていく。
【００８９】
標準データ保持部３０５は、上記の標準データ＃４０１を保持する。
【００９０】
＜実施の形態２における充電制御方法１＞
本発明の実施の形態２に係る充電制御方法１について、図６を用いて説明する。
【００９１】
図６において、現実データ＃５０１は、標準データ＃４０１を生成した後のある特定の１日のバッテリ１０４の残量の時間推移を示すものである。なお、図６に示す標準データ＃４０１は、図５に示す標準データ＃４０１と同一である。
【００９２】
充電制御部３０６は、接続部１０１からの充電電圧が時間の経過に伴って低下する場合において、ポータブル充電器により充電を開始した後、標準データ＃４０１及び日付時刻情報に基づいて、バッテリ１０４の残量が現在の時刻における必要な残量に達したか否かを監視する。充電制御部３０６は、必要な残量に達したと判断した場合に、充電否の充電可否情報を充電部１０３に出力することにより充電を停止させる。
【００９３】
例えば、図６の場合、充電制御部３０６は、標準データ＃４０１に基づいて、現在の時刻ｔ１において必要な残量はｚ１％であると認識する。充電制御部３０６は、時刻ｔ１において残量がｚ１％以上になったことを検出し、充電を停止させる。
【００９４】
＜実施の形態２における充電制御方法２＞
本発明の実施の形態２に係る充電制御方法２について、図６を用いて説明する。
【００９５】
充電制御部３０６は、ポータブル充電器により充電する際に、上記の充電制御方法１に記載した充電制御に加えて、バッテリ１０４の残量が現在の時刻における必要な残量に達していても充電の停止をしないように動作させる要求に従って充電制御を行う。
【００９６】
即ち、表示操作部３０２は、バッテリ１０４の残量が現在の時刻における必要な残量に達していても充電の停止をしないように動作させる要求信号を充電制御部３０６に出力する。
【００９７】
充電制御部３０６は、バッテリ１０４の残量が現在の時刻における必要な残量に達している場合であっても、表示操作部３０２から要求信号が入力された場合には、要求信号における要求に従って、充電否の充電可否情報を充電部１０３に出力しない。これにより、充電部１０３は、バッテリ１０４の充電を継続する。
【００９８】
例えば、図６の場合、充電制御部３０６は、標準データ＃４０１に基づいて、現在の時刻ｔ１において必要な残量はｚ１％であると認識する。充電制御部３０６は、表示操作部３０２から入力された要求信号における上記の要求に従って、残量がｚ１％に達した場合であっても充電を停止しないように制御する。
【００９９】
＜実施の形態２における充電制御方法３＞
本発明の実施の形態２に係る充電制御方法３について、図６を用いて説明する。
【０１００】
充電制御部３０６は、ポータブル充電器により充電する際に、上記の充電制御方法１に記載した充電制御に加えて、バッテリ１０４の残量が現在の時刻における必要な残量に達している場合に、充電を停止する要求または充電を停止しない要求に従って充電制御を行う。
【０１０１】
即ち、表示操作部３０２は、充電を停止する要求信号または充電を停止しない要求信号を充電制御部３０６に出力する。
【０１０２】
充電制御部３０６は、バッテリ１０４の残量が現在の時刻における必要な残量に達している場合において、充電を停止する要求信号が表示操作部３０２から入力された場合には、充電否の充電可否情報を充電部１０３に出力することにより充電を停止させる。
【０１０３】
充電制御部３０６は、バッテリ１０４の残量が現在の時刻における必要な残量に達している場合において、充電を停止しない要求信号が表示操作部３０２から入力された場合には、充電否の充電可否情報を充電部１０３に出力しない。これにより、充電部１０３は、バッテリ１０４の充電を継続する。
【０１０４】
例えば、図６の場合、充電制御部３０６は、標準データ＃４０１に基づいて、現在の時刻ｔ１において必要な残量はｚ１％であると認識する。充電制御部３０６は、時刻ｔ１において残量がｚ１％以上になったことを検出して、充電を停止する要求信号が表示操作部３０２から入力された場合には充電を停止させる制御を行い、充電を停止しない要求信号が表示操作部３０２から入力された場合には充電を停止させない制御を行う。
【０１０５】
＜実施の形態２における充電制御方法４＞
本発明の実施の形態２に係る充電制御方法４について、図６を用いて説明する。
【０１０６】
充電制御部３０６は、ポータブル充電器により充電する際に、上記の充電制御方法１に記載した充電制御に加えて、外部充電器１５０からの識別信号を受信した際に、接続部１０１からの充電電圧が時間の経過に伴って低下するか否かに関わらず、バッテリ１０４の残量が現在の時刻における必要な残量に達していても充電の停止をしないように制御する。
【０１０７】
即ち、接続部１０１は、外部充電器１５０から識別信号を受信した際に、識別信号を受信した旨の通知を含む接続情報を種別判定部１０２に出力する。
【０１０８】
種別判定部１０２は、識別信号を受信した旨の通知を接続部１０１から受けた際に、識別信号を受信した旨を充電制御部３０６に通知する。
【０１０９】
充電制御部３０６は、識別信号を受信した旨の通知が種別判定部１０２から入力された際に、接続部１０１からの充電電圧が時間の経過に伴って低下するか否かに関わらず、バッテリ１０４の残量が現在の時刻における必要な残量に達している場合であっても、充電否の充電可否情報を充電部１０３に出力しない。これにより、充電部１０３は、バッテリ１０４の充電を継続する。
【０１１０】
例えば、図６の場合、充電制御部３０６は、標準データ＃４０１に基づいて、現在の時刻ｔ１において必要な残量はｚ１％であると認識する。充電制御部３０６は、識別信号を受信した旨の通知が入力されることにより、バッテリ１０４の残量が時刻ｔ１においてｚ１％以上になったことを検出しても、充電を停止しないように制御する。
【０１１１】
＜実施の形態２における充電制御方法５＞
本発明の実施の形態２に係る充電制御方法５について説明する。
【０１１２】
充電制御部３０６は、上記充電制御方法１〜４の何れか１つに記載の方法と組み合わせて、以下の方法を用いることができる。
【０１１３】
即ち、充電制御部３０６は、ポータブル充電器により充電する際に、充電電流を所定量低減させるように充電部１０３を制御する。
【０１１４】
＜実施の形態２における充電制御方法６＞
本発明の実施の形態２に係る充電制御方法６について説明する。
【０１１５】
充電制御部３０６は、上記充電制御方法１〜４の何れか１つに記載の方法と組み合わせて、以下の方法を用いることができる。
【０１１６】
即ち、充電制御部３０６は、ポータブル充電器により充電する際に、間欠的に充電を行うように充電部１０３を制御する。
【０１１７】
＜実施の形態２における共通動作＞
なお、充電制御部３０６は、過充電防止のため、バッテリ１０４の残量が１００％に達していた場合は、充電制御方法１〜６の何れの方法で充電する場合であっても、充電を停止させるよう充電部１０３を制御する。
【０１１８】
＜実施の形態２の効果＞
本実施の形態によれば、ユーザの生活習慣に基づいて充電制御するので、現在時刻における必要最低限の電力を蓄積するようにバッテリを充電することができる。これにより、上記実施の形態１の効果に加えて、実施の形態１と比較して、充電器の電池の消耗を大幅に抑制することができるので、さらに経済的であるとともに環境コストを低減することができ、使用中の電池切れによる動作停止状態を確実に防ぐことができる。
【０１１９】
＜実施の形態２の変形例＞
本実施の形態において、ユーザの生活習慣に応じた標準データに基づいて充電制御を行ったが、携帯電子機器３００の出荷時等に設定された不変の標準データに基づいて充電制御を行うようにすることができる。
【０１２０】
また、本実施の形態において、携帯電子機器で標準データを生成して記憶したが、携帯電子機器がサーバより標準データをダウンロードして記憶するようにしてもよい。
【０１２１】
また、本実施の形態において、生成する標準データは１つに限らず、曜日毎に、または平日と土曜祝日とで、異なる標準データを生成するようにしてもよい。この場合、充電制御部１０７は、充電制御の際に、日付時刻情報に基づいて現在の曜日に応じた標準データを選択する。
【０１２２】
＜全ての実施の形態に共通の変形例＞
上記実施の形態１及び実施の形態２において、外部充電器としてポータブル充電器が接続された際に、必要な残量に到達した後に充電を停止させたが、外部充電器としてポータブル充電器以外の充電器が接続された際に、必要な残量に到達した後に充電を停止させるようにすることができる。
【０１２３】
また、上記実施の形態１及び実施の形態２において、充電端子の識別情報を用いて外部充電器の種別を判定したが、充電端子の識別情報以外の情報を用いて外部充電器の種別を判定することができる。例えば、種別判定部１０２は、ポータブル充電器であることを示す信号が入力された場合、または外部充電器１５０からポータブル充電器であることを示す識別信号を受信した場合に、ポータブル充電器であると判定するようにすることができる。
【０１２４】
また、上記実施の形態１及び実施の形態２において、表示操作部１０６は、必要量のみの充電と通常充電との何れか一方の選択結果を受け付けるようにすることができる。この場合、充電制御部３０６は、必要量のみの充電が選択された場合には必要な残量に到達した後に充電を停止させ、通常充電が選択された場合には満充電するようにすることができる。
【産業上の利用可能性】
【０１２５】
本発明は、外部充電器により充電されるバッテリを有する携帯電子機器及び充電制御方法に好適である。
【符号の説明】
【０１２６】
１００  携帯電子機器
１０１  接続部
１０２  種別判定部
１０３  充電部
１０４  バッテリ
１０５  残量測定部
１０６  表示操作部
１０７  充電制御部
１５０  外部充電器
【図１】
2014003793.tif 000003
【図２】
2014003793.tif 000004
【図３】
2014003793.tif 000005
【図４】
2014003793.tif 000006
【図５】
2014003793.tif 000007
【図６】
2014003793.tif 000008